(57)【要約】【課題】低背化した状態であっても薄型化した接続対象物の保持力を安定的に維持できるコネクタを提供する。【解決手段】本発明に係るコネクタ１０は、側縁部に突設した係合部６３を有する接続対象物６０を挿入及び抜去可能な挿入溝２１と、接続対象物６０が挿入溝２１に挿入されたときに係合部６３と係合する抜止部２７と、を有するインシュレータ２０と、接続対象物６０を押圧する閉位置と、接続対象物６０を押圧しない開位置と、の間をインシュレータ２０に対して可動可能なアクチュエータ５０と、を備え、アクチュエータ５０は、閉位置において、接続対象物６０の係合部６３と当接する突起部５６を有する。【選択図】図１０
2018129232.tif 000002
【特許請求の範囲】
【請求項１】
側縁部に突設した係合部を有する接続対象物を挿入及び抜去可能な挿入溝と、
前記接続対象物が前記挿入溝に挿入されたときに前記係合部と係合する抜止部と、
を有するインシュレータと、
前記接続対象物を押圧する閉位置と、前記接続対象物を押圧しない開位置と、の間を前記インシュレータに対して可動可能なアクチュエータと、
を備え、
前記アクチュエータは、前記閉位置において、前記接続対象物の前記係合部と当接する突起部を有する、
コネクタ。
【請求項２】
前記突起部は、前記閉位置において、前記接続対象物の前記係合部を前記アクチュエータの閉じ方向に押し下げる、
請求項１に記載のコネクタ。
【請求項３】
前記インシュレータは、前記接続対象物が前記挿入溝に挿入されたときに、前記係合部と対応する位置に、前記接続対象物の載置面よりも前記アクチュエータの閉じ方向側に前記係合部を収容可能な貫通孔又は凹部を有する、
請求項１又は２に記載のコネクタ。
【請求項４】
前記アクチュエータが前記開位置にある状態で、前記係合部の上面と前記抜止部の上面とが、略同一の上下方向位置に配置される場合に、
前記突起部の先端は、前記閉位置において、前記抜止部の前記上面よりも前記閉じ方向側に位置する、
請求項２又は３に記載のコネクタ。
【請求項５】
前記突起部は、前記アクチュエータの長手方向に沿った断面視において、前記閉じ方向側に向けてテーパ状となる、
請求項１乃至４のいずれか１項に記載のコネクタ。
【発明の詳細な説明】
【技術分野】
【０００１】
本発明は、回路基板同士を電気的に接続するコネクタに関する。
【背景技術】
【０００２】
従来、電子機器等に用いられるＦＰＣ（フレキシブルプリント回路基板）用コネクタ又はＦＦＣ（フレキシブルフラットケーブル）用コネクタは、嵌合したＦＰＣ又はＦＦＣとコネクタとが不用意に外れないよう、保持力（抜去力）を高めることが要求される。
【０００３】
例えば、特許文献１に記載のコネクタは、ＦＰＣの端末部分の両側縁部に設けられた位置決め係止板が絶縁ハウジングから突出するロック板と係合する。
【先行技術文献】
【特許文献】
【０００４】
【特許文献１】特開２０１６−１２９１２４
【発明の概要】
【発明が解決しようとする課題】
【０００５】
特許文献１に記載のコネクタでは、ＦＰＣ又はＦＦＣの保持力を得るために、インシュレータとＦＰＣ又はＦＦＣの係り代を大きくするなどの工夫がなされている。しかし、コネクタの小型・低背化が著しい昨今では、十分な係り代を確保することが困難となってきている。さらには、ＦＰＣ又はＦＦＣなどの接続対象物自体も薄型化が進んでおり、インシュレータと係止する部分の剛性が低下して撓みやすくなり係り代が安定しない、つまり保持力が低下するという課題があった。
【０００６】
かかる観点に鑑みてなされた本発明の目的は、低背化した状態であっても薄型化した接続対象物の保持力を安定的に維持できるコネクタを提供することにある。
【課題を解決するための手段】
【０００７】
上記課題を解決するために、第１の観点に係るコネクタは、
側縁部に突設した係合部を有する接続対象物を挿入及び抜去可能な挿入溝と、
前記接続対象物が前記挿入溝に挿入されたときに前記係合部と係合する抜止部と、
を有するインシュレータと、
前記接続対象物を押圧する閉位置と、前記接続対象物を押圧しない開位置と、の間を前記インシュレータに対して可動可能なアクチュエータと、
を備え、
前記アクチュエータは、前記閉位置において、前記接続対象物の前記係合部と当接する突起部を有する。
【０００８】
第２の観点に係るコネクタでは、
前記突起部は、前記閉位置において、前記接続対象物の前記係合部を前記アクチュエータの閉じ方向に押し下げる。
【０００９】
第３の観点に係るコネクタでは、
前記インシュレータは、前記接続対象物が前記挿入溝に挿入されたときに、前記係合部と対応する位置に、前記接続対象物の載置面よりも前記アクチュエータの閉じ方向側に前記係合部を収容可能な貫通孔又は凹部を有する。
【００１０】
第４の観点に係るコネクタでは、
前記アクチュエータが前記開位置にある状態で、前記係合部の上面と前記抜止部の上面とが、略同一の上下方向位置に配置される場合に、
前記突起部の先端は、前記閉位置において、前記抜止部の前記上面よりも前記閉じ方向側に位置する。
【００１１】
第５の観点に係るコネクタでは、
前記突起部は、前記アクチュエータの長手方向に沿った断面視において、前記閉じ方向側に向けてテーパ状となる。
【発明の効果】
【００１２】
本発明によれば、低背化した状態であっても薄型化した接続対象物の保持力を安定的に維持できるコネクタを提供可能である。
【図面の簡単な説明】
【００１３】
【図１】一実施形態に係るコネクタ及びＦＰＣを上面視により示した分離状態の斜視図である。
【図２】図１のコネクタ及びＦＰＣを下面視により示した分離状態の斜視図である。
【図３】図１のコネクタを上面視により示した分解斜視図である。
【図４】図１のコネクタを下面視により示した分解斜視図である。
【図５】図１のV−V矢線に沿うコネクタの断面図である。
【図６】図１のVI−VI矢線に沿うコネクタの断面図である。
【図７】ＦＰＣを挿入した状態でアクチュエータを閉位置まで回転させたときの図５に対応する断面図である。
【図８】ＦＰＣを挿入した状態でアクチュエータが開位置にあるときの図６に対応する断面図である。
【図９】ＦＰＣを挿入した状態でアクチュエータが開位置にあるときの図１のIX−IX矢線に沿った拡大断面図に対応する図である。
【図１０】ＦＰＣを挿入した状態でアクチュエータを閉位置まで回転させたときの図８に対応する断面図である。
【図１１】ＦＰＣを挿入した状態でアクチュエータを閉位置まで回転させたときの図９に対応する拡大断面図である。
【図１２】変形例に係るコネクタの図６に対応する断面を示した図である。
【発明を実施するための形態】
【００１４】
以降、添付図面を参照しながら、一実施形態について詳細に説明する。以下の説明中の前後、左右、及び上下の方向は、図中の矢印の方向を基準としている。
【００１５】
一実施形態に係るコネクタ１０は、一例として、フレキシブルプリント回路基板であるＦＰＣ６０（接続対象物）と接続されるものとして説明するが、これに限定されない。コネクタ１０は、インシュレータに取り付けられた金属製のコンタクトを通じて、回路基板同士を電気的に接続するコネクタであれば、任意のコネクタであってよい。例えば、コネクタ１０は、ＦＰＣに代えて、ＦＦＣと接続されてもよい。
【００１６】
図１は、一実施形態に係るコネクタ１０及びＦＰＣ６０を上面視により示した分離状態の斜視図である。図２は、図１のコネクタ１０及びＦＰＣ６０を下面視により示した分離状態の斜視図である。図３は、図１のコネクタ１０を上面視により示した分解斜視図である。図４は、図１のコネクタ１０を下面視により示した分解斜視図である。図５は、図１のV−V矢線に沿うコネクタ１０の断面図である。図６は、図１のVI−VI矢線に沿うコネクタ１０の断面図である。図７は、ＦＰＣ６０を挿入した状態でアクチュエータ５０を閉位置まで回転させたときの図５に対応する断面図である。
【００１７】
本実施形態のコネクタ１０は、図３に示すとおり、大きな構成要素としてインシュレータ２０、コンタクト３０、固定金具４０、及びアクチュエータ５０を具備している。図１に示すとおり、コネクタ１０は、回路基板ＣＢ上に取り付けられる。コネクタ１０は、ＦＰＣ６０と回路基板ＣＢとを、コンタクト３０を通じて電気的に接続する。
【００１８】
インシュレータ２０は、絶縁性かつ耐熱性の合成樹脂材料を射出成形したものである。インシュレータ２０の上面の前部にはＦＰＣ６０を挿入するための挿入溝２１が凹設してある。挿入溝２１の前面及び前部の上面は、開放している。挿入溝２１の後部は、インシュレータ２０の内部にまで及んでいる（図５参照）。挿入溝２１の後部の底面は、ＦＰＣ６０、特に、その先端の底面が載置される載置面２１ａを構成する。インシュレータ２０の後面には、前後方向に延びる複数の取付溝２２が形成される（図４参照）。複数の取付溝２２は、互いに所定の間隔で離間して左右方向に配列するように形成される。インシュレータ２０の後面に沿った取付溝２２の表面形状は、上下方向に長辺を有し、左右方向に短辺を有する、略矩形状である。取付溝２２の長辺及び短辺の長さは、後述のとおりコンタクト３０を取付溝２２内に圧入して固定できるように、それぞれ、対応するコンタクト３０の後面の上下幅及び左右幅よりもわずかに大きい。各取付溝２２の後部は、インシュレータ２０の後部を前後方向に貫通する。各取付溝２２の前部は、挿入溝２１の底面に凹設してある。インシュレータ２０の下端部には、取付溝２２の底面と下方に連続するように底壁２３が形成してある。すなわち、コネクタ１０が回路基板ＣＢ上に取り付けられた場合、底壁２３は、取付溝２２の底面と回路基板ＣＢとの間に位置する。
【００１９】
インシュレータ２０の左右両側部には、一対の側壁２４が形成される。左右の側壁２４の内側面の前端上部には、閉位置保持突起２５が突設される。インシュレータ２０の左右両側部近傍には、左右の側壁２４のすぐ内側に位置し、かつ、前後方向に延びる金具固定溝２６が形成される。金具固定溝２６の前面は開放している。金具固定溝２６の前部の上下両面も開放している。金具固定溝２６の後部の上下両面及び左右両面はインシュレータ２０によって塞がれている。金具固定溝２６の後端は、インシュレータ２０の後端面にまで及んでいる（図４参照）。
【００２０】
金具固定溝２６より内側に位置する部分の前端部には、抜止部２７がそれぞれ上向きに形成される（図３参照）。抜止部２７の前面２７ａと後面２７ｂとは、前後方向に対して直交する平面により構成される。抜止部２７の上面２７ｃは、前後方向に対して平行な平面により構成される。抜止部２７は、インシュレータ２０の左右両端部にそれぞれ形成される。抜止部２７の後方には、インシュレータ２０を上下方向に貫通する貫通孔２８が、抜止部２７と隣接して形成される。貫通孔２８は、後述するＦＰＣ６０の係合部６３を収容する。貫通孔２８の形状及び大きさは、係合部６３を収容可能であれば、任意の形状及び大きさであってもよい。
【００２１】
複数のコンタクト３０は、ばね弾性を備えた銅合金（例えばリン青銅、ベリリウム銅、若しくはチタン銅）又はコルソン系銅合金の薄板を順送金型（スタンピング）を用いて図示形状に成形加工したものである（図５参照）。コンタクト３０は、その表面に下地となる下地めっきが形成され、下地めっきの上面の一部に表層めっきが積層される。
【００２２】
図５に示すように、コンタクト３０は、側面視略コ字形である。コンタクト３０は、先端に接触突部３２を有する接触アーム３１と、接触アーム３１を支持するアーム支持部３３と、接触アーム３１の直上に位置し下面の先端近傍に支持凹部３５を有する押えアーム３４と、を有する。コンタクト３０は、後端に突設した実装部３６を有する。後述するとおり、コンタクト３０の実装部３６は、はんだ付けにより回路基板ＣＢ上の回路パターンと接続される。
【００２３】
各コンタクト３０は、各取付溝２２に取り付けられることで、インシュレータ２０に支持される。すなわち、各コンタクト３０は、インシュレータ２０の各取付溝２２に対して後方から圧入される。図５に示すように各コンタクト３０を取付溝２２に圧入すると、アーム支持部３３が、インシュレータ２０の底壁２３の上面に支持される。接触アーム３１（接触突部３２）は、挿入溝２１内に位置する。押えアーム３４の上面に突設した係止突起３７は、対応する取付溝２２の上面に食い込む（図５参照）。以上により、コンタクト３０は、取付溝２２に対して固定状態となる。コンタクト３０が取付溝２２に対して固定状態となると、コンタクト３０の表面は、取付溝２２の内面に対して近接又は当接する。実装部３６は、インシュレータ２０の後面より後方に突出する。実装部３６の下面はインシュレータ２０の下面より下方に位置する。
【００２４】
左右一対の固定金具４０は金属板のプレス成形品であり、インシュレータ２０の左右両端部に取り付けられる（図３参照）。固定金具４０の上面には、アクチュエータ５０を支持する支持部４１が形成される。固定金具４０の下端部には、側方、すなわち左右方向の外側に向けて、略Ｌ字状の実装部４２が突設される。固定金具４０は、インシュレータ２０に対して前方から圧入することによりインシュレータ２０に固定される。
【００２５】
左右方向に延びる板状部材である回転式のアクチュエータ５０は、耐熱性の合成樹脂材料を金属製の成形型を利用して射出成形したものである。左右両側部には側部アーム５１がそれぞれ設けられる。アクチュエータ５０の下端部近傍には、アクチュエータ５０を板厚方向に貫通する複数のアーム挿通用貫通孔５２が左右方向に並べて形成される。各アーム挿通用貫通孔５２の直下には、各アーム挿通用貫通孔５２の下端を塞ぐ回転中心軸５３が形成される（図５参照）。所定の隣り合うアーム挿通用貫通孔５２の間に位置する部分の下端部には、カム部５４が設けられる（図４及び図５参照）。アクチュエータ５０の側部アーム５１の先端には、閉位置保持突起５５が外側に向けて突設される（図３参照）。側部アーム５１の内側には、突起部５６がアクチュエータ５０の内面から突設される。
【００２６】
図１、図３に示すようにインシュレータ２０に対してアクチュエータ５０を略直交させた状態で、対応するコンタクト３０の押えアーム３４が各アーム挿通用貫通孔５２に挿入される。支持凹部３５は、回転中心軸５３に係合する（図５参照）。左右の側部アーム５１の基端部は、左右の固定金具４０の支持部４１に載置される。以上により、アクチュエータ５０は、コンタクト３０及び固定金具４０に対して支持される。
【００２７】
このように支持部４１によって側部アーム５１の基端部が支持されると、各コンタクト３０の支持凹部３５と対応する回転中心軸５３との係合関係が維持される。従って、アクチュエータ５０は、インシュレータ２０（ＦＰＣ６０の挿脱方向）に対して可動可能である。特に、アクチュエータ５０は、回転中心軸５３回りに回転可能になる。
【００２８】
コネクタ１０は、前後方向と略平行な回路基板ＣＢ（図１の仮想線参照）の上面（回路形成面）に対して実装される。具体的には、各コンタクト３０の実装部３６は、回路基板ＣＢ上の回路パターン（図示略）に塗布したはんだペーストに載置される。左右の固定金具４０の実装部４２は、回路基板ＣＢ上の接地パターン（図示略）に塗布したはんだペーストに載置される。リフロー炉等において各はんだペーストを加熱溶融することで、各実装部３６は、上記回路パターンにはんだ付けされる。各実装部４２は、上記接地パターンにはんだ付けされる。結果、コネクタ１０の回路基板ＣＢへの実装が完了する。
【００２９】
図１及び図２に示すように、ＦＰＣ６０は、複数の薄膜材を互いに接着して構成した積層構造である。ＦＰＣ６０は、延長方向（前後方向）の先端部を構成しかつその他の部分に比べて硬い端部補強部材６１と、延長方向に沿って直線的に延びかつ端部補強部材６１の下面まで延びる複数の回路パターン６２と、延長方向の先端部において、側縁部から外側に向けて突設された係合部６３と、を備える。係合部６３は、延長方向に直交する方向、すなわち左右方向に突出するように、一対形成される。係合部６３の上面６３ａは、端部補強部材６１の上面と同一平面上に位置するように連続して形成される。
【００３０】
ＦＰＣ６０（接続対象物）を接続するためには、アクチュエータ５０を開位置まで回転させる。アクチュエータ５０を開位置まで回転させた後に、挿入溝２１に対してＦＰＣ６０の後端部を前斜め上方から挿入する。アクチュエータ５０を閉位置まで前方に回転させると、側部アーム５１の固定金具４０側の面が支持部４１に接触する。アクチュエータ５０の閉位置保持突起５５は、インシュレータ２０の閉位置保持突起２５と係合する。これにより、アクチュエータ５０は、インシュレータ２０に対して閉位置で保持される。この時、アクチュエータ５０の各カム部５４は、ＦＰＣ６０の上面に対して面接触して、ＦＰＣ６０を下方に押圧する。従って、ＦＰＣ６０の回路パターン６２は、各コンタクト３０の接触アーム３１を下方に弾性変形させながら接触突部３２に対して確実に接触する（図７参照）。
【００３１】
ＦＰＣ６０を挿入してアクチュエータ５０を開位置から閉位置まで回転した状態における、コネクタ１０とＦＰＣ６０との係合の様子について、図８乃至図１１を用いてより詳細に説明する。図８は、ＦＰＣ６０を挿入した状態でアクチュエータ５０が開位置にあるときの図６に対応する断面図である。図９は、ＦＰＣ６０を挿入した状態でアクチュエータ５０が開位置にあるときの図１のIX−IX矢線に沿った拡大断面図に対応する図である。図１０は、ＦＰＣ６０を挿入した状態でアクチュエータ５０を閉位置まで回転させたときの図８に対応する断面図である。図１１は、ＦＰＣ６０を挿入した状態でアクチュエータ５０を閉位置まで回転させたときの図９に対応する拡大断面図である。
【００３２】
ＦＰＣ６０がインシュレータ２０の挿入溝２１に挿入されると、ＦＰＣ６０の係合部６３は、インシュレータ２０の対応する位置に形成された貫通孔２８内にそれぞれ収容される（図８参照）。貫通孔２８は、ＦＰＣ６０の載置面２１ａよりも閉じ方向側に係合部６３を収容可能である。この状態で、インシュレータ２０の抜止部２７は、ＦＰＣ６０の抜去方向側、すなわち前側から係合部６３と対向する。抜止部２７は、係合部６３と係合する。アクチュエータ５０が開位置にある状態では、係合部６３の上面６３ａと抜止部２７の上面２７ｃとは、略同一の上下方向位置に配置される。
【００３３】
アクチュエータ５０を閉位置まで回転させると、アクチュエータ５０の突起部５６が、ＦＰＣ６０の係合部６３と当接する。特に、突起部５６は、アクチュエータ５０の閉位置において、係合部６３をアクチュエータ５０の閉じ方向に押し下げる（図１０及び図１１参照）。すなわち、突起部５６は、インシュレータ２０の挿入溝２１に挿入されたＦＰＣ６０の係合部６３の挿入位置に対応して形成される。図１１に示すとおり、突起部５６の左右方向に沿った断面形状は、閉じ方向側、すなわち下方に向けてテーパ状となる。特に、突起部５６の断面形状は、略台形である。突起部５６の先端、すなわち最下部は、閉位置において、抜止部２７の上面２７ｃよりも閉じ方向側（下方）に位置する。すなわち、図１０に示すとおり、閉位置において、突起部５６の最下部は、貫通孔２８内に収容される。
【００３４】
アクチュエータ５０が閉位置にある状態では、係合部６３の上面６３ａは、突起部５６によって閉じ方向に押し下げられた分、抜止部２７の上面２７ｃよりも下方に位置する（図１０及び図１１参照）。係合部６３は、突起部５６による閉じ方向への押し下げによって撓み、外側に向かうほど抜止部２７の上面２７ｃから下方へと離間する。
【００３５】
以上のような一実施形態に係るコネクタ１０は、低背化した状態であっても薄型化したＦＰＣ６０の保持力を安定的に維持できる。すなわち、ＦＰＣ６０の薄型化に伴って係合部６３の剛性が低下し、撓みやすくなった場合であっても、突起部５６と係合部６３との当接によって、係り代が安定する。突起部５６による係合部６３の閉じ方向への押し下げによって、係合部６３は下方へと撓む。これにより、係合部６３と抜止部２７との係り代が増す。このように、コネクタ１０は、係合部６３も含めて載置面２１ａに平坦にＦＰＣ６０を載置した場合と比較して、高い保持力を得ることができる。
【００３６】
コネクタ１０は、インシュレータ２０に対して下方に貫通孔２８を設けて係り代を増大させているため、抜止部２７の底壁２３からの突出量を増大させる必要はない。従って、コネクタ１０は、ＦＰＣ６０の挿入時に、ＦＰＣ６０と抜止部２７との接触を防止して、ＦＰＣ６０の挿入性を維持できる。
【００３７】
ＦＰＣ６０の挿入時に係合部６３の上面６３ａと抜止部２７の上面２７ｃとが略同一の上下方向位置に配置される場合に、突起部５６の最下部が、閉位置において、抜止部２７の上面２７ｃよりも閉じ方向側に位置する。これにより、突起部５６は、閉位置において、係合部６３を確実に撓ませる。従って、コネクタ１０は、底壁２３からの抜止部２７の突出量を不必要に増大させることなく、係合部６３と抜止部２７との係り代を確保することができる。これにより、コネクタ１０は、保持力を維持できる。
【００３８】
本発明は、その精神又はその本質的な特徴から離れることなく、上述した実施形態以外の他の所定の形態で実現できることは当業者にとって明白である。従って、先の記述は例示的なものであり、これに限定されるものではない。発明の範囲は、先の記述によってではなく、付加した請求項によって定義される。あらゆる変更のうちその均等の範囲内にあるいくつかの変更は、その中に包含されるものとする。
【００３９】
例えば、図１１に示すとおり、突起部５６のアクチュエータ５０の長手方向に沿った断面形状は、テーパ状、特に略台形であるものとして説明したが、これに限定されない。突起部５６の断面形状は、矩形又は半円形など、ＦＰＣ６０の係合部６３を閉じ方向に押し下げることができる形状であれば任意の形状であってよい。また、突起部５６は、略台形以外のテーパ状の断面を有してもよい。例えば、突起部５６は、係合部６３を閉じ方向に押し下げる量が外側に向かうほど大きくなるような断面形状により構成されてもよい。一例として、突起部５６の断面形状は、アクチュエータ５０の内面からの突設量が左右方向の外側に向かうほど増大するように、直線状の傾斜面を閉じ方向側に有する三角形であってもよい。このような突起部５６の断面形状により、突起部５６は、左右方向の断面視において、内側から外側まで略均一に係合部６３を押圧する。従って、コネクタ１０は、係合部６３の一部に極度の押圧を加えることなく、より自然に係合部６３を撓ませることができる。
【００４０】
図１２は、変形例に係るコネクタ１０の図６に対応する断面を示した図である。コネクタ１０は、閉位置におけるアクチュエータ５０の突起部５６と対応する位置に、インシュレータ２０の貫通孔２８を有するものとして説明したが、これに限定されない。図１２に示すとおり、コネクタ１０は、貫通孔２８に代えて、凹部２９を有してもよい。凹部２９の形状及び大きさは、係合部６３を収容可能であれば、任意の形状及び大きさであってもよい。凹部２９は、突起部５６による係合部６３の閉じ方向への押し込みが可能であれば、任意の深さで凹設されてもよい。
【００４１】
コネクタ１０は、貫通孔２８及び凹部２９のいずれも有さず、係合部６３よりも外側にはインシュレータ２０が形成されないように構成されてもよい。例えば、インシュレータ２０の側壁２４及び金具固定溝２６を省略して、当該構成部に対応する位置にインシュレータ２０が形成されなくてもよい。すなわち、ＦＰＣ６０の側縁部よりも外側には、インシュレータ２０の抜止部２７のみが存在するように、インシュレータ２０が形成されてもよい。
【００４２】
突起部５６の最下部は、閉位置において、抜止部２７の上面２７ｃよりも閉じ方向側に位置するものとして説明したが、これに限定されない。突起部５６の最下部は、係合部６３を押し下げて、抜止部２７との係り代を確保することが可能であれば、任意の位置に配置されてもよい。例えば、突起部５６の最下部は、閉位置において、抜止部２７の上面２７ｃと略同一の高さに位置してもよい。この場合、突起部５６は、ＦＰＣ６０が挿入されてアクチュエータ５０が開位置にある状態で、抜止部２７の上面２７ｃよりもわずかに上方に位置する係合部６３の上面６３ａを押し下げるように構成される。
【００４３】
インシュレータ２０の抜止部２７は、前後方向に対して垂直な前面２７ａ及び後面２７ｂ、並びに前後方向に対して平行な上面２７ｃにより、略直方体状に形成されるものとして説明したが、これに限定されない。抜止部２７は、前面２７ａの上縁部から連続して形成される前側傾斜面及び後面２７ｂの上縁部から連続して形成される後側傾斜面を有してもよい。前側傾斜面は、前方から後方に向かうにつれて徐々に上方に向かう傾斜面である。後側傾斜面は、後方から前方に向かうにつれて徐々に上方に向かう傾斜面である。
【符号の説明】
【００４４】
１０    コネクタ
２０    インシュレータ
２１    挿入溝
２１ａ  載置面
２２    取付溝
２３    底壁
２４    側壁
２５    閉位置保持突起
２６    金具固定溝
２７    抜止部
２７ａ  前面
２７ｂ  後面
２７ｃ  上面
２８    貫通孔
２９    凹部
３０    コンタクト
３１    接触アーム
３２    接触突部
３３    アーム支持部
３４    押えアーム
３５    支持凹部
３６    実装部
３７    係止突起
４０    固定金具
４１    支持部
４２    実装部
５０    アクチュエータ
５１    側部アーム
５２    アーム挿通用貫通孔
５３    回転中心軸
５４    カム部
５５    閉位置保持突起
５６    突起部
６０    ＦＰＣ（接続対象物）
６１    端部補強部材
６２    回路パターン
６３    係合部
６３ａ  上面
ＣＢ    回路基板
【図１】
2018129232.tif 000003
【図２】
2018129232.tif 000004
【図３】
2018129232.tif 000005
【図４】
2018129232.tif 000006
【図５】
2018129232.tif 000007
【図６】
2018129232.tif 000008
【図７】
2018129232.tif 000009
【図８】
2018129232.tif 000010
【図９】
2018129232.tif 000011
【図１０】
2018129232.tif 000012
【図１１】
2018129232.tif 000013
【図１２】
2018129232.tif 000014